(57)【特許請求の範囲】
【請求項１】
対象物が収納される商品収納部が上面に開口された容器本体と、
前記商品収納部を開閉可能な内蓋体と、
前記内蓋体の外側を覆う開閉可能な外蓋体と、
前記外蓋体の開閉動作に連動して前記内蓋体を開閉する開閉連動機構と、を設け、
前記外蓋体の一辺と前記容器本体の一辺を姿勢変更可能に連結する連結片を設け、
前記開閉連動機構は、前記内蓋体の一側を前記外蓋体に姿勢変更可能に連結し、
前記内蓋体に、前記容器本体の隙間に係合される係止片を設け、
前記係止片は、前記商品収納部を前記内蓋体で閉じたときには前記容器本体に係合され、前記商品収納部から前記内蓋体を開いたときには前記容器本体との係合が解除されるようにし、
前記内蓋体の前記一側に、装飾保持片を形成し、
前記装飾保持片は、その断面形状が平行四辺形を形成し、
前記平行四辺形の一辺には、前記外蓋体が固定され、
前記一辺の隣の辺は、前記内蓋体の一部を形成し、
前記装飾保持片の内側に、装飾部材が設けられ、
前記外蓋体を開放すると、前記外蓋体の開放量に応じて前記内蓋体が徐々に前記一側へ引っ張られ、これにより、前記商品収納部に収納されている前記対象物が前記係止片の側から徐々に露出される
ことを特徴とする包装容器。
【発明の詳細な説明】
【技術分野】
【０００１】
本発明は、ＤＶＤ、ＣＤその他の記録媒体、レコーダ、電子辞書その他の電子機器、チョコレート、クッキーその他の菓子等の各種商品を収納するための包装容器に関し、特に、蓋体の開閉動作に関連して品物を見え隠れさせることにより、その品物に対する期待感を高めることができる包装容器に関する。
【背景技術】
【０００２】
従来の、記録媒体、電子機器、菓子その他の包装容器としては、例えば、特許文献１に記載されているようなものがある。
特許文献１には、この発明者が先に特許出願したもので、ＣＤ、ＤＶＤ等の音盤、チョコレート、クッキー等の菓子に至るまでの各種商品の収納が可能な包装容器に関するものが記載されている。
【先行技術文献】
【特許文献】
【０００３】
【特許文献１】特開平１０−３２９８８０号公報
【発明の概要】
【発明が解決しようとする課題】
【０００４】
特許文献１に係る発明は、一側に開閉自在に構成した蓋体を設けた所望のケース体内の一側に所望の品物の一側の係止部を設け、その一側の係止部に対応する位置に舞台、展示場等を構成し、蓋体の開放に従って一体的に引き伸ばされる壇部を設け、その壇部に他側の係止部を設けて商品等の品物の係止部を構成した、ことを特徴としている。
【０００５】
しかしながら、特許文献１に記載された包装容器においては、蓋体の開放に従って役者人形等の折り畳み物が起立すると共に他側の係止部が拡開して品物の係止を解除し、品物を簡単に取り出し得る構成となっているが、蓋体を開けると品物の全体が直接目視できる容器であったため、包装されている品物の内容が直ちに知れてしまい、面白みに欠けるという問題があった。
【０００６】
本発明は、このような従来の問題点に鑑みてなされたものであり、蓋体の開放動作に連動して品物を徐々に露出させる機構とすることにより、包装されている品物が徐々に目視できるようにして、包装容器を開く者において、品物に対する興味を大きくさせて包装を開らく者の期待感や幸福感を高めることができる包装容器を提供することを目的としている。
【課題を解決するための手段】
【０００７】
本発明の包装容器は、対象物が収納される商品収納部が上面に開口された容器本体と、その商品収納部を開閉可能な内蓋体と、その内蓋体の外側を覆う開閉可能な外蓋体と、その外蓋体の開閉動作に連動して内蓋体を開閉する開閉連動機構と、を設けたことを特徴としている。
【０００８】
外蓋体の一辺と容器本体の一辺を姿勢変更可能に連結する連結片を設け、開閉連動機構は、内蓋体の一側を外蓋体に姿勢変更可能に連結することが好ましい。
【０００９】
内蓋体に、容器本体の隙間に係合される係止片を設け、係止片は、商品収納部を内蓋体で閉じたときには容器本体に係合され、商品収納部から内蓋体を開いたときには容器本体との係合が解除されるように構成するとよい。
【発明の効果】
【００１０】
本発明の包装容器によれば、外蓋体を開放操作すると、その外蓋体の開放動作に連動して内蓋体が徐々に開放され、その内蓋体で覆われている品物が徐々に露出されるため、包装容器を開放する者において、品物に対する興味を増大させることができ、その商品に対する期待感を大きくして包装を開放する者の幸福感を高めることができる。
【図面の簡単な説明】
【００１１】
【図１】本発明の包装容器の実施例を示す分解斜視図である。
【図２】図１に示す包装容器の開放状態を示す斜視図である。
【図３】図１に示す包装容器の開放状態を示す側面図である。
【図４】図１に示す包装容器の外観斜視図である。
【図５】図１に示す包装容器の側面図である。
【図６】図４に示すＸ−Ｘ線部分の断面図である。
【発明を実施するための形態】
【００１２】
以下に、図１乃至図６を参照して、本発明の包装容器の実施の例を説明する。
図１乃至図３に示すように、本発明の一実施例を示す包装容器１は、容器本体２と外蓋体３と内蓋体４と商品保持枠５と装飾部材６を備えて構成されている。
【００１３】
容器本体２は、長方形をなす底面部２ａと、この底面部２ａの四辺に連続して外側へ突出するように形成された本体側面部２ｂとからなり、本体側面部２ｂは、包装容器１の正面に配置される本体正面片２b1と、包装容器１の背面に配置される本体背面片２b2と、包装容器１の左右両側に配置される本体側面片２b3、２b4と、を有している。本体側面部２ｂの各片２b1〜２b4は、底面部２ａに対して９０度折り曲げられて上方へ立ち上がるように同一の高さで形成されている。
【００１４】
外蓋体３は、長方形をなす上面部３ａと、この上面部３ａの四辺に連続して外側へ突出するように形成された蓋体側面部３ｂとからなり、蓋体側面部３ｂは、包装容器１の正面に配置される蓋体正面片３b1と、包装容器１の背面に配置される蓋体背面片３b2と、包装容器１の左右両側に配置される蓋体側面片３b3、３b4と、を有している。蓋体側面部３ｂは、上面部３ａに対して９０度折り曲げられて下方へ立ち下がるように同一の高さで形成されている。なお、蓋体背面片３b2は、本体背面片２b2を兼用しており、両者は同一のものであって、この背面片２b2（３b2）が連結片の一実施例を示している。
【００１５】
本体側面部２ｂの各片２b1〜２b4の高さは同一であり、本体正面片２b1の両端縁と、この本体正面片２b1の両側に隣り合う左右の本体側面片２b3、２b4の各端縁とは連接されている。これに対して、本体背面片２b2の両端縁と、この本体背面片２b2の両側に隣り合う左右の本体側面片２b3、２b4の各端縁とは切り離されており、本体背面片２b2は単独で前傾及び後傾可能とされている。
【００１６】
蓋体側面部３ｂの各片３b1〜３b4の高さは同一であり、蓋体正面片３b1の両端縁と、この蓋体正面片３b1の両側に隣り合う左右の蓋体側面片３b3、３b4の各端縁とは連接されている。これに対して、蓋体背面片３b2の両端縁と、この蓋体背面片３b2の両側に隣り合う左右の蓋体側面片３b3、３b4とは切り離されており、本体背面片２b2でもある蓋体背面片３b2は単独で前傾及び後傾可能とされている。
【００１７】
商品保持枠５は容器本体２の凹部内に収納される広さと高さを有しており、底面部２ａよりも少し小さな四角形の枠状をなす矩形片５ａと、この矩形片５ａの外縁の四辺に連続して下方へ立ち下がるように形成された４つの外枠片５ｂと、矩形片５ａの内縁の四辺に連続して下方へ立ち下がるように形成された４つの内枠片５ｃとを有している。この４つの内枠片５ｃで囲まれた空間部が商品収納部８を形成しており、この商品収納部８に、ＤＶＤ、ＣＤその他の記録媒体、レコーダ、電子辞書その他の電子機器、チョコレート、クッキーその他の菓子等の各種商品９が収納される。
【００１８】
内蓋体４は、商品保持枠５の上面全体を覆うことができる遮蔽片４ａと、この遮蔽片４ａの背面側に連続して一体に形成された背面片４ｂと、遮蔽片４ａの正面側に連続して一体に形成された係止片４ｃと、遮蔽片４ａの中途部から背面片４ｂの中途部まで架け渡すように形成された装飾保持片４ｄとを有している。この装飾保持片４ｄに関連して装飾部材６が設けられている。
【００１９】
内蓋体４の遮蔽片４ａは、商品保持枠５の矩形片５ａと略同様の大きさを有しており、その背面側の辺に背面片４ｂが折り曲げ可能に連続されていて、その反対の正面側の辺に係止片４ｃが折り曲げ可能に連続されている。そして、遮蔽片４ａと係止片４ｃとの折り曲げ部には、内蓋体４を手動操作により開放するための指掛け穴１１が設けられている。また、遮蔽片４ａと背面片４ｂとは二枚重ねとして形成されており、その一部に前後方向に延びるスリットを設けて装飾保持片４ｄを形成すると共に、その装飾保持片４ｄが前側に突出するように折り曲げ部１２を設けている。
【００２０】
図４乃至図６に示すように、内蓋体４は、背面側の折り曲げ部１３で折り曲げることにより遮蔽片４ａの上に背面片４ｂを重ね合わせることができる。このとき、装飾保持片４ｄは、背面側の折り曲げ部１３とは逆側に折り曲げられ、その折り曲げ部１２が前方へ突出されるようになっている。この外蓋片３と内蓋片４との連結構造によって開閉動作機構が構成されている。
【００２１】
この装飾保持片４ｄの内側に装飾部材６が設けられている。装飾部材６は、この実施例では、複数枚の細長い葉っぱのような植物様の装飾片１５で構成されており、遮蔽片４ａに対する背面片４ｂの相対的な開閉動作に連動して、複数の装飾片１５が動くように構成されている。装飾部材６としては、この実施例に限定されるものではなく、例えば、サッカー、野球等のスポーツ選手、花束、メッセージカード等を設け、それらが蓋体の開閉動作に連動して起立したり、拡開したりして、動きを生じるように構成するとよい。
【００２２】
このような構成を有する内蓋体４は、その背面片４ｂを外蓋体３の上面部３ａの内面に接着剤等を用いて固定する。これにより、外蓋体３を閉じた状態では、図４乃至図６に示すように、内蓋体４が背面側の折り曲げ部１３から折り曲げられ、装飾部材６を内側に挟み込んで、背面片４ｂが遮蔽片４ａの上に重ね合される。このとき、遮蔽片４ａは、容器本体２に収納されている商品保持枠５の上面を覆った状態となり、商品保持枠５の商品収納部８に収納されている商品を完全に覆い隠すことができる。
【００２３】
この状態から、外蓋体３を開放すると、図３に示すように、外蓋体３の開放動作に連動して、内蓋体４の背面片４ｂが外蓋体３によって後方に引っ張られ、外蓋体３の開放量に応じて遮蔽片４ａが徐々に後方へ引っ張られる。これにより、商品収納部８に収納されている商品９が前側から徐々に露出され、図２に示すように、外蓋体３が大きく後方まで押し広げられると、商品９の上面の全体がはっきりと露出される。
【００２４】
この遮蔽片４ａによる商品９の露出状態は、包装を開く者に対して、収納されている商品に対する期待感を与え、ワクワクした感情を生じさせることができる。このように、実施例に係る包装容器１によれば、外蓋体３の開放操作に連動して内蓋体４を開放動作させることができるため、包装を開く者に対して、包装容器１の開放操作に基づいて収納されている商品に対する期待感、幸福感を与えることができるという面白みを有している。
【００２５】
包装容器１を閉じる場合は、外蓋体３を背面側から前方へ押圧し、係止片４ｃを本体正面片２b1と商品保持枠５の正面側の外枠片５ｂとの間に挟み込む。図４に示すように、外蓋体３を閉じると、容器本体２の商品収納部８が内蓋体４の遮蔽片４ａと外蓋体３の上面部３ａとによって二重に覆われる。この状態では、図５及び図６に示すように、内蓋体４が遮蔽片４ａと背面片４ｂとの間の折り曲げ部１３によって自動的に折り畳まれる。そして、内蓋体４の内側に設けられている装飾部材６が装飾保持片４ｄに保持された状態で収納され、この装飾部材６が蓋体の閉じ状態に障害となることがない。
【００２６】
以上説明したが、本発明は上記実施例に限定されるものではなく、均等の範囲内で種々の変形が可能であり、特許請求の範囲に記載された発明の範囲にて様々な変更が可能であることは、当業者によって容易に理解されよう。
【符号の説明】
【００２７】
１…包装容器、  ２…容器本体、  ２ａ…底面部、  ３…外装体、  ４…内蓋体、  ４ａ…遮蔽片、  ４ｃ…係止片、  ４ｄ…装飾保持片、  ５…商品保持枠、６…装飾部材、  ８…商品収納部、  ９…商品、  １２…折り曲げ部、  １５…装飾片
【要約】
【課題】
蓋体の開放動作に連動して品物を徐々に露出させる機構とし、包装されている品物が徐々に目視できるようにして、包装容器を開く者に品物に対する興味を大きくさせて包装を開らく者の興奮を高めることができる包装容器を提供する。
【解決手段】
対象物が収納される商品収納部が上面に開口された容器本体２と、その商品収納部を開閉可能な内蓋体４と、その内蓋体の外側を覆う開閉可能な外蓋体３と、その外蓋体の開閉動作に連動して内蓋体を開閉する開閉連動機構と、を設けた。
【選択図】図１【図１】
0005785679.tif 000002
【図２】
0005785679.tif 000003
【図３】
0005785679.tif 000004
【図４】
0005785679.tif 000005
【図５】
0005785679.tif 000006
【図６】
0005785679.tif 000007